(57)【要約】【課題】排気ファンを常時稼動させることなく効率良く内部で発生した熱を放出することのできる排熱機構を備えた電光表示装置を提案すること。【解決手段】電光表示装置１では、装置筐体３の内部６に下側の吸気孔１１、１２から外気を導入し、その上端部分６ａに形成した自然換気用排気ダクト２３、２４から自然排気孔１３、１４を介して内部３の高温空気を外部に排出する自然換気経路が形成されている。排気ファン８がオフ状態においても効率良く排熱動作が行われる。内部温度が高くなり排気ファン８をオンに切り替えて強制換気を行う場合には、シャッターバルブ４１、４２によって自然換気用排気ダクト２３、２４を封鎖して自然換気経路を遮断し、排気ファン８によって効率良く強制換気を行うことができる。よって、排気ファン８が常に稼動した状態に陥ることを防止して、その常時稼動に起因する弊害の発生を回避できる。【選択図】図２
2008275910.tif 000002
【特許請求の範囲】
【請求項１】
装置筐体と、この装置筐体の前面に取り付けられており、ＬＥＤなどの発光素子が配列された電光表示部と、前記装置筐体の内部で発生した熱を放出するための排気ファンとを有する電光表示装置において、
前記装置筐体の側面あるいは背面の下端部分に形成した吸気孔と、
前記装置筐体の側面あるいは背面の上端部分に形成した自然排気孔と、
前記装置筐体の側面あるいは背面における前記自然排気孔よりも下側の部位に形成された強制換気孔と、
前記自然排気孔を開閉する開閉部材とを有していることを特徴とする電光表示装置。
【請求項２】
請求項１に記載の電光表示装置において、
前記吸気孔から前記装置筐体の内部に導入される外気を上方に導く吸気導入部と、
前記装置筐体の内部の空気を、当該内部の上端部分から前記自然排気孔に向けて下方に導く自然換気用排気導出部と、
前記装置筐体の内部の空気を、前記排気導出部の下側に配置された前記排気ファンを介して前記強制換気孔に向けて下方に導く強制換気用排気導出部とを有し、
前記開閉部材は、前記自然換気用排気導出部を開閉することを特徴とする電光表示装置。
【請求項３】
請求項２に記載の電光表示装置において、
前記吸気導入部に配置された吸気側エアフィルタと、
前記自然換気用排気導出部に配置された排気側エアフィルタとを有していることを特徴とする電光表示装置。
【請求項４】
請求項３に記載の電光表示装置において、
前記装置筐体は扁平な直方体形状をしており、
当該装置筐体の背面に、前記吸気孔、前記強制換気孔および前記自然排気孔が形成されていることを特徴とする電光表示装置。
【請求項５】
請求項１に記載の電光表示装置において、
前記開閉部材は、前記排気ファンがオンすると前記自然換気孔を閉じ、前記排気ファンがオフすると前記自然換気孔を開くことを特徴とする電光表示装置。
【請求項６】
請求項５に記載の電光表示装置において、
前記装置筐体の内部の上端部分に配置した温度センサを有し、
前記排気ファンは、前記温度センサの検出温度が予め定めた設定値を超えるとオン状態に切り替わり、当該検出温度が設定値以下になるとオフ状態に戻ることを特徴とする電光表示装置。
【請求項７】
請求項５に記載の電光表示装置において、
当該電光表示装置がオフの状態においては、前記開閉部材によって前記自然換気孔が閉じられており、当該電光表示装置がオンすると、当該開閉部材は前記自然換気孔を開くことを特徴とする電光表示装置。
【発明の詳細な説明】
【技術分野】
【０００１】
本発明は、街角などに設置され、各種の広告、宣伝用の文字や画像を表示するために用いる電光表示装置に関する。更に詳しくは、内部で発生した熱を効率良く放出することのできる排熱機構が備わっている電光表示装置に関する。
【背景技術】
【０００２】
電光表示装置は、その前面に、縦横あるいは斜めに所定ピッチで配列されたＬＥＤなどの発光体を備え、各発光体を選択的に点滅駆動することにより、文字や画像を表示するように構成されている。このような電光表示装置は特許文献１、２に開示されている。
【０００３】
電光表示装置は、一般に、建物の外壁などに取り付けられる装置筐体と、この装置筐体の前面に取り付け固定される電光表示ユニットから構成されている。大型の電光表示装置の場合には、装置筐体の前面に、多数台の電光表示ユニットが縦横に繋ぎ合わせた状態で取り付けられる。
【特許文献１】特開２００５−２９２５５５号公報
【特許文献２】特開２００５−２０２３０１号公報
【発明の開示】
【発明が解決しようとする課題】
【０００４】
ここで、電光表示装置の内部は、電源部および電光表示ユニットなどの発熱によって高温状態になるので、電光表示装置には、内部で発生した熱を外部に放出するための排熱機構を配置しておくことが望ましい。
【０００５】
例えば、図６に示すような排熱機構が考えられる。すなわち、電光表示装置１００の装置筐体１０１の背面板１０２の下端部分には吸気孔１０３が形成されており、ここから導入された外気はエアフィルタ１０４を介して装置筐体１０１の内部１０５に入る。装置筐体１０１の内部１０５の上端部分には水平に排気ファン１０６が配置されている。排気ファン１０６は上側が吸気側とされ、下側が排気側とされている。排気ファン１０６の排気側から下方に排出された空気は、背面板１０２に形成されている強制換気孔１０７から外部に放出される。排気ファン１０６がオフ状態においては、当該排気ファン１０６の開口部を介して自然換気が行われる。装置筐体１０１の内部温度が高温になると、排気ファン１０６がオンして、当該排気ファン１０６によって強制換気が行われる。
【０００６】
しかしながら、この構成の排熱機構では、自然換気の効率が悪いので、装置筐体１０１の内部上端部分に高温空気が溜まり、排気ファン１０６を常に稼動させなければならない状態に陥り易い。すなわち、排気ファン１０６がオフ状態においては、当該排気ファンを通って自然換気が行われるので、自然換気用の排気開口部を十分に確保できないからである。また、強制換気孔１０７は、外部から雨滴などが侵入しないように下向きとされているので、換気効率が悪いからである。
【０００７】
排気ファン１０６が常に稼動すると、排気ファン自体が消耗品であるので、その寿命が短くなり、長期使用ができなくなってしまう。また、排気ファン１０６によって常に強制換気状態が形成されていると、汚れた外気、悪天候時の高湿外気などが常に強制吸引されるので、内部の電子部品が故障する確率が高くなってしまう。さらに、エアフィルタ１０４の目詰まりの発生も早まり、エアフィルタの掃除、交換を頻繁に行う必要が生ずる。さらには、排気ファン１０６が動作しないと排熱が効率良く行われないので、内部の電子部品の温度障害による寿命低下が発生し易い。
【０００８】
本発明の課題は、このような点に鑑みて、排気ファンを常時稼動させることなく効率良く内部で発生した熱を放出することのできる排熱機構を備えた電光表示装置を提案することにある。
【課題を解決するための手段】
【０００９】
上記の課題を解決するために、本発明は、装置筐体と、この装置筐体の前面に取り付けられており、ＬＥＤなどの発光素子が配列された電光表示部と、前記装置筐体の内部で発生した熱を放出するための排気ファンとを有する電光表示装置において、
前記装置筐体の側面あるいは背面の下端部分に形成した吸気孔と、
前記装置筐体の側面あるいは背面の上端部分に形成した自然排気孔と、
前記装置筐体の側面あるいは背面における前記自然排気孔よりも下側の部位に形成された強制換気孔と、
前記自然排気孔を開閉する開閉部材とを有していることを特徴としている。
【００１０】
本発明の電光表示装置では、装置筐体の下側の吸気孔から外気を導入し、その上端部分に形成した自然排気孔を介して内部の高温空気を外部に排出する自然換気経路が形成されている。したがって、排気ファンがオフ状態においても、効率良く排熱動作が行われる。また、内部温度が高くなり排気ファンをオンに切り替えて強制換気を行う場合には、開閉部材によって自然排気孔を封鎖することにより、自然換気経路が遮断され、排気ファンによって効率良く強制換気を行うことができる。自然換気が効率良く行われるので、強制換気状態が継続すること、すなわち、排気ファンが常に稼動した状態に陥ることを防止でき、排気ファンの常時稼動に起因する弊害の発生を回避できる。
【００１１】
ここで、吸気孔、自然排気孔、強制換気孔を介して、外部から雨水などが装置筐体内部に侵入することを防止するためには、前記吸気孔から前記装置筐体の内部に導入される外気を上方に導く吸気導入部と、前記装置筐体の内部の空気を、当該内部の上端部分から前記自然排気孔に向けて下方に導く自然換気用排気導出部と、前記装置筐体の内部の空気を、前記排気導出部の下側に配置された前記排気ファンを介して前記強制換気孔に向けて下方に導く強制換気用排気導出部とを有していることが望ましい。この場合には、前記開閉部材によって、前記自然換気用排気導出部を開閉すればよい。
【００１２】
また、吸気孔、自然排気孔、強制換気孔を介して、外部から塵などの異物が装置筐体内部に侵入することを防止するためには、前記吸気導入部に配置された吸気側エアフィルタと、前記自然換気用排気導出部に配置された排気側エアフィルタとを有していることが望ましい。
【００１３】
さらに、本発明の電光表示装置における前記装置筐体は通常は、扁平な直方体形状とされる。この場合には、当該装置筐体の背面に、前記吸気孔、前記強制換気孔および前記自然排気孔を形成しておけばよい。
【００１４】
次に、前記開閉部材の開閉を前記排気ファンに連動させることが望ましい。すなわち、前記開閉部材を、前記排気ファンがオンすると前記自然換気孔を閉じ、前記排気ファンがオフすると前記自然換気孔を開くように駆動制御することが望ましい。
【００１５】
この場合には、前記装置筐体の内部の上端部分に温度センサを配置し、前記排気ファンを、前記温度センサの検出温度が予め定めた設定値を超えるとオン状態に切り替え、当該検出温度が設定値以下になるとオフ状態に戻すようにすればよい。
【００１６】
また、電光表示装置がオフの状態においては、前記開閉部材によって前記自然換気孔を閉じておき、雨水、塵等の侵入を防止するようにすることも可能である。
【発明の効果】
【００１７】
本発明の電光表示装置では、排気ファンによる強制換気経路と、自然換気経路とを別個に設け、自然換気経路には開閉部材を配置して当該自然換気経路を開閉できるようになっている。排気ファンのオフ状態においては開閉部材によって自然換気経路を開き、自然換気によって効率良く排熱動作を行うことができ、強制換気時には開閉部材を閉じることにより排気ファンを用いて強制換気による排熱動作を効率良く行うことができる。
【００１８】
本発明によれば、自然換気が効率良く行われるので、強制換気状態が継続すること、換言すると、排気ファンが常に稼動した状態に陥ることを防止できる。よって、排気ファンの常時稼動に起因する弊害の発生を回避できる。
【発明を実施するための最良の形態】
【００１９】
以下に、図面を参照して、本発明を適用した電光表示装置の実施の形態を説明する。
【００２０】
図１(ａ)および(ｂ)は本実施の形態に係る電光表示装置を示す正面図および背面図である。図２(ａ)および(ｂ)は、その自然換気時の状態を示す概略縦断面図、および強制換気時の状態を示す概略縦断面図である。
【００２１】
電光表示装置１は、扁平な直方体形状をした装置筐体２と、この装置筐体２の前面に取り付けた複数組の電光表示ユニット３とを有している。装置筐体２の背面には、点検用の開閉扉４、５が左右に取り付けられており、これらを開けることにより装置筐体２の内部６を点検することができる。装置筐体２の内部６には、その下端側の背面側部分に電源部７が配置されており、その上端部分には水平に排気ファン８が取り付けられている。外部から供給される電力は電源部７を介して各電光表示ユニット３および排気ファン８などに供給される。
【００２２】
装置筐体２の背面に取り付けた左右の開閉扉４、５には、その下端部分に水平に一定幅および長さの吸気孔１１、１２が形成されている。また、開閉扉４、５の上端部分には、水平に一定幅および長さの自然排気孔１３、１４が形成されている。さらに、開閉扉４、５の上下方向の中程の部位よりも僅かに上側の部位には、それぞれ矩形の強制換気孔１５、１６が形成されている。
【００２３】
装置筐体２における左右の開閉扉４、５の内側には、各吸気孔１１、１２から導入された外気を斜め上方に導く吸気ダクト２１、２２が形成されている。これら吸気ダクト２１、２２の水平な上端開口部には吸気側エアフィルタ３１、３２が取り付けられている。吸気側エアフィルタ３１、３２を介して内部６に導入された外気は、電源部７と電光表示ユニット３の背面の間を上昇する。
【００２４】
装置筐体２の内部６における上端部分６ａには、内部６の空気を自然排気孔１３、１４に向けて斜め下方に導く自然換気用排気ダクト２３、２４が形成されている。これら排気ダクト２３、２４の水平な上端開口部には排気側エアフィルタ３３、３４が取り付けられている。これら排気側エアフィルタ３３、３４の下側には、排気ダクト２３、２４を開閉するためのシャッターバルブ４１、４２が取り付けられている。排気ファン８は自然換気用排気ダクト２３、２４の下側に位置しており、この排気ファン８の下側(排気側)には、当該排気ファン８によって強制排出される内部６の空気を、強制換気孔１５、１６に向けて斜め下方に導く強制換気用排気ダクト２５、２６が形成されている。
【００２５】
ここで、装置筐体２の内部６の上端部分６ａには温度センサ９が配置されている。温度センサ９の検出温度が予め定めた設定値を超えると、排気ファン８がオンに切り替わり、これに連動してシャッターバルブ４１、４２が閉じて自然換気用排気ダクト２３、２４が封鎖されるようになっている。温度センサ９の検出温度が設定値以下になると、排気ファン８がオフに戻り、これに連動してシャッターバルブ４１、４２が開いて、自動換気用排気ダクト２３、２４が連通状態に戻るようになっている。
【００２６】
次に、図３、４および５を参照して、電光表示ユニット３の構造を簡単に説明する。電光表示ユニット３は装置筐体２の前面に形成されている縦８列、横４列の矩形開口部１２１よりも一回り大きな矩形の輪郭形状をしている。また、電光表示ユニット３の前面には例えば、縦１６列、横６行の発光用貫通穴１３１が形成されている。各発光用貫通穴１３１からは縦に並べた３個のＬＥＤ１３２(１)〜１３２(３)が露出している。ＬＥＤ１３２(１)〜１３２(３)は赤色発光ＬＥＤ、緑色発光ＬＥＤおよび青色発光ＬＥＤであり、フルカラー表示が可能となっている。
【００２７】
電光表示ユニット３は、前後に開口している矩形の枠状ケース１３３と、この枠状ケース１３３の前面に取り付けた前面パネル１３４とによって、そのユニットケースが構成されている。前面パネル１３４にはマトリックス状に縦長の発光用貫通穴１３１が形成されている。前面パネル１３４の背面側は、３個のＬＥＤ１３２(１)〜１３２(３)からなるＬＥＤ群がマトリックス状に搭載されているＬＥＤ基板１３５が配置されており、各ＬＥＤ群が前面パネル１３４の各発光用貫通穴１３１から前方に露出している。
【００２８】
枠状ケース１３３の背面にはその四周縁に沿って矩形枠状の背板部１３３ａが一体形成されており、この背板部１３３ａの内周縁からは背面側に向けて矩形枠状の突出部１３３ｂが直角に突出している。この突出部１３３ｂが装置筐体３の矩形開口部１２１に差込可能な寸法とされている。突出部１３３ｂには２本の縦リブ１３３ｃが一体形成されている。また、背板部１３３ａの背面には矩形枠状の凹部が形成されており、ここに着脱自在に装着された矩形枠板１３６(図５(ｂ)参照)を挟み、当該矩形枠状背板部１３３ａが装置筐体３における矩形開口部１２１を取り囲んでいる縦枠部１２２および横枠部１２３に固定されている。
【００２９】
前面パネル１３４の表面には、各発光用貫通穴１３１の間に、わずかに突出した縦リブ１３４ａが形成されている。また、各発光用貫通穴１３１の上側位置には横方向に水平に延びる庇板１３４ｂが形成されている。
【００３０】
この構成の電光表示装置１では、シャッターバルブ４１、４２は通常は開いており、自然換気状態にある。なお、当該電光表示装置１がオフの状態ではシャッターバルブ４１、４２を閉じておき、電光表示装置１がオンに切り替わると、シャッターバルブ４１、４２を開くようにすることも可能である。
【００３１】
電光表示装置１が表示動作を開始した直後においては、内部の温度が設定温度未満であり、排気ファン８がオフ状態にあり、自然換気用排気ダクト２３、２４が連通状態にある。したがって、図２(ａ)に示すように、下側の吸気孔１１、１２から吸気ダクト２１、２２および吸気側エアフィルタ３１、３２を通って装置筐体３の内部６に到り、内部６を上昇して、その上端部分６ａから排気側エアフィルタ３３、３４を通って排気ダクト２３、２４を経由し、しかる後に自然排気孔１３、１４から外部に通ずる自然換気経路が形成されている。この自然換気経路を経由して外気の導入および内部の高温空気の排出が効率良く行われ、装置筐体の内部温度が設定温度以上になることが抑制される。
【００３２】
内部温度が設定温度を超えると、排気ファン８がオンに切り替わり、これに連動して、シャッターバルブ４１、４２が閉じて自然換気用排気ダクト２３、２４が封鎖される。この結果、自然換気経路が封鎖され、図２(ｂ)に示すように、下側の吸気孔１１、１２から吸気ダクト２１、２２および吸気側エアフィルタ３１、３２を通って装置筐体３の内部６に到り、内部６を上昇して、その上端部分６ａから排気ファン８を経由して、強制換気用排気ダクト２５、２６から強制換気孔１５、１６を通って外部に通ずる強制換気経路が形成される。排気ファン８によって、吸引された外気が内部６を通って排出される強制換気が行われて、内部６の高温空気が効率良く排出される。
【００３３】
このように、電光表示装置１では排気ファン８を経由しない自然換気経路が形成されているので、ここを介して効率良く自然換気が行われ、内部温度が高温になることが抑制される。したがって、従来とは異なり、始動後に内部が直ちに高温になって排気ファン８による強制換気が開始されることがなく、排気ファン８の稼動時間を短くできる。
【００３４】
したがって、排気ファン８を常に稼動させなければならない状態に陥ることを回避できるので、排気ファン８の寿命が延び、その長期使用が可能になる。また、排気ファン８によって強制吸引される汚れた外気の量、悪天候時の高湿外気の量を低減できるので、内部の電子部品が故障する確率を低減できる。さらに、吸気側および排気側エアフィルタの目詰まりの発生も抑制できるので、エアフィルタの掃除、交換頻度を少なくできる。さらには、自然換気および強制換気によって排熱が効率良く行われるので、内部の電子部品の温度障害による寿命低下を確実に防止できる。
【図面の簡単な説明】
【００３５】
【図１】(ａ)および(ｂ)は、本発明を適用した電光表示装置の外観斜視図および背面図である。
【図２】(ａ)および(ｂ)は、それぞれ、図１の電光表示装置における自然換気時および強制換気時の概略縦断面図である。
【図３】図１の電光表示装置から電光表示ユニットを取り外した状態を示す説明図である。
【図４】(ａ)〜(ｃ)は、電光表示ユニットを示す正面図、平面図および縦断面図である。
【図５】(ａ)および(ｂ)は、電光表示ユニットを前側から見た場合の斜視図および背面側から見た場合の斜視図である。
【図６】従来の電光表示装置の排気構造を示す説明図である。
【符号の説明】
【００３６】
１    電光表示装置
２    装置筐体
３  電光表示ユニット
４、５  開閉扉
６    内部
６１ａ  上端部分
７    電源部
８    排気ファン
９    温度センサ
１１、１２  吸気孔
１３、１４  自然排気孔
１５、１６  強制換気孔
２１、２２  吸気ダクト
２３、２４  自然換気用排気ダクト
２５、２６  強制換気用排気ダクト
３１、３２  吸気側エアフィルタ
３３、３４  排気側エアフィルタ
４１、４２  シャッターバルブ
１２１  矩形開口部
１２２  縦枠部
１２３  横枠部
１３１  発光用貫通穴
１３２(１)〜１３２(３)  ＬＥＤ
１３３  枠状ケース
１３３ａ  背板部
１３３ｂ  突出部
１３３ｃ  縦リブ
１３４  前面パネル
１３４ａ  縦リブ
１３４ｂ  庇板
１３５  ＬＥＤ基版
１３６  矩形枠板
【図１】
2008275910.tif 000003
【図２】
2008275910.tif 000004
【図３】
2008275910.tif 000005
【図４】
2008275910.tif 000006
【図５】
2008275910.tif 000007
【図６】
2008275910.tif 000008